(57)【要約】【課題】全曲ファイルコピーに要する時間を短縮することができるカラオケ装置等を提供する。【解決手段】通信カラオケ装置のハードディスク３３０に配信ファイル記憶領域３３２と移行ファイル記憶領域３３３とを設ける。配信ファイル記憶領域３３２には、当該通信カラオケ装置宛に配信されたカラオケファイルが記憶される。移行ファイル記憶領域３３３には、配信ファイル記憶領域３３２から移行されるカラオケファイル（移行ファイル）が記憶される。全曲ファイルコピーを実行する際には、これまでに配信された全てのカラオケファイルＡ〜Ｆのうち、移行ファイルＣ、Ｄを除いたカラオケファイルＡ、Ｂ、Ｅ、Ｆのみを対象とする。【選択図】　　　　図５
2004102124.tif 000002
【特許請求の範囲】
【請求項１】
供給されるカラオケファイルを記憶する第１記憶領域と、前記第１記憶領域から移行されるカラオケファイルを記憶する第２記憶領域とが設定されている記憶手段と、
入力される指示情報に従って前記第１記憶領域に記憶されているカラオケファイルの中から前記第２記憶領域に移行すべきカラオケファイルを選択し、選択したカラオケファイルを前記第２記憶領域に移行する制御手段と
を具備することを特徴とするカラオケ装置。
【請求項２】
前記選択したカラオケファイルを前記第２記憶領域に移行した後に、外部から前記第１記憶領域の書き換えを行う場合には、前記第１記憶領域に記憶すべきカラオケファイルから前記第２記憶領域に移行したカラオケファイルを除いたカラオケファイルを外部から取得し、取得したカラオケファイルを前記第１記憶領域に記憶することにより書き換えを行うファイル書換制御手段をさらに具備することを特徴とする請求項１に記載のカラオケ装置。
【請求項３】
前記指示情報は、前記第２記憶領域に移行すべきカラオケファイルを特定するためのファイル識別情報を含み、該指示情報は、カラオケファイルを供給する配信センタから通信網を介して当該カラオケ装置に入力されることを特徴とする請求項１または２に記載のカラオケ装置。
【請求項４】
第１記憶領域と第２記憶領域が設定されている記憶手段を備えたカラオケ装置の制御方法であって、
供給されるカラオケファイルを前記第１記憶領域に記憶する過程と、
入力される指示に従って前記第１記憶領域に記憶されているカラオケファイルの中から前記第２記憶領域に移行すべきカラオケファイルを選択し、選択したカラオケファイルを前記第２記憶領域に移行する過程と、
前記選択したカラオケファイルを前記第２記憶領域に移行した後に、外部から前記第１記憶領域の書き換えを行う場合には、前記第１記憶領域に記憶すべきカラオケファイルから前記第２記憶領域に移行したカラオケファイルを除いたカラオケファイルを外部から取得し、取得したカラオケファイルを前記第１記憶領域に記憶することにより書き換えを行う過程と
を具備することを特徴とするカラオケ装置の制御方法。
【発明の詳細な説明】
【０００１】
【発明の属する技術分野】
本発明は、カラオケ装置及びカラオケ装置の制御方法に関する。
【０００２】
【従来の技術】
業務用カラオケ装置として通信カラオケ装置が広く普及している。通信カラオケ装置とは、カラオケ曲の再生や対応する背景画像の表示等を行うためのカラオケファイルを、センタ局から公衆通信網等を介して受信・蓄積する機能を備えたカラオケ装置である。この通信カラオケ装置とセンタ局によって構成された通信カラオケシステムは、発表間もない新曲に対応したカラオケファイルをセンタ局から当該センタ局の管理下にある複数の通信カラオケ装置に迅速に配信することができるといった特徴を有している（例えば、特許文献１参照）。
【０００３】
ところで、近年においては上記のように発表される新曲の数は日に日に増加している。これに伴ってセンタ局から配信されるカラオケファイルの数は極めて膨大になり、現在では数万曲分のカラオケファイルが通信カラオケ装置のハードディスクに蓄積されている状態である。
【０００４】
かかる通信カラオケ装置をメンテナンスするメンテナンス業者は、修理等で持ち込まれた通信カラオケ装置に対し、メンテナンス用の保守端末をケーブル等によって接続する。ここで、メンテナンス用の保守端末には、当該時点までに各通信カラオケ装置に配信された全てのカラオケファイル（すなわち、数万曲分のカラオケファイル）が格納されている。
【０００５】
その後、メンテナンス業者によってメンテナンス作業を開始すべき操作がなされると、通信カラオケ装置は、まずハードディスクの所定領域に格納されている全てのカラオケファイルを消去する。消去作業が終了すると、通信カラオケ装置は、保守端末から供給されるカラオケファイルであって、これまでに当該通信カラオケ装置に配信された全てのカラオケファイルを、上記ハードディスクの所定領域に格納する。このように、通信カラオケ装置のメンテナンス時においては、ハードディスクの所定領域に格納されているカラオケファイルを全て消去し、消去した記憶領域に保守端末から供給されるカラオケファイルを書き込む（以下、全曲ファイルコピーという）といった操作が行われる。
【０００６】
【特許文献１】
特開平９−１２７９６６号公報（第１頁、第１図）
【０００７】
【発明が解決しようとする課題】
しかしながら、上記全曲ファイルコピーにかかる時間は、ハードディスクに蓄積されているカラオケファイルの数等が増加するにつれ、長くなる。従って、ハードディスクに数万曲分ものカラオケファイルが蓄積されている現状においては、上記全曲ファイルコピーを完了するのに莫大な時間がかかってしまうという問題があった。
【０００８】
本発明は、上述した事情を鑑みてなされたものであり、全曲ファイルコピーに要する時間を短縮することができるカラオケ装置等を提供することを目的とする。
【０００９】
【課題を解決するための手段】
上述した問題を解決するため、本発明に係るカラオケ装置は、供給されるカラオケファイルを記憶する第１記憶領域と、前記第１記憶領域から移行されるカラオケファイルを記憶する第２記憶領域とが設定されている記憶手段と、入力される指示情報に従って前記第１記憶領域に記憶されているカラオケファイルの中から前記第２記憶領域に移行すべきカラオケファイルを選択し、選択したカラオケファイルを前記第２記憶領域に移行する制御手段とを具備することを特徴とする。
【０００１０】
かかるカラオケ装置の記憶手段には、センタ局等から供給される全てのカラオケファイルを記憶する第１記憶領域と、該第１記憶領域から移行されるカラオケファイルを記憶する第２記憶領域とが設けられている。ここで、例えば今後差し換えることがなさそうなカラオケファイル（人気不動のカラオケファイル等）については、第１記憶領域から第２記憶領域に移行する。このように、所定のカラオケファイルを第１記憶領域から第２記憶領域に移行することで、第１記憶領域から第２記憶領域に移行しなかったカラオケファイルのみを全曲ファイルコピー対象とすることができ、この結果、全曲ファイルコピーに要する時間を短縮することができる。
【００１１】
【発明の実施の形態】
以下、本発明の実施の形態について説明する。
【００１２】
Ａ．本実施形態
（１）実施形態の構成
図１は、本実施形態に係る通信カラオケシステム１００の構成を示す図である。
通信カラオケシステム１００は、１ヶ月に数回程度の頻度で最新のカラオケファイルを配信するセンタ局２００と、センタ局２００から配信されるカラオケファイルをＩＳＤＮ等の公衆通信網２５０を介して受信・蓄積する複数の通信カラオケ装置３００−ｋ（１≦ｋ≦ｎ）とを備えている。
【００１３】
なお、本実施形態では、センタ局２００から公衆通信網２５０を介して各通信カラオケ装置３００−ｋに最新のカラオケファイルが供給される場合を例示するが、例えばメンテナンス業者が定期的に通信カラオケ装置３００−ｋの設置されたカラオケ店等に赴き、保守端末（図示略）からケーブル等を介して各通信カラオケ装置３００−ｋに最新のカラオケファイルが供給される場合にも適用することができる。また、以下の説明では、複数の通信カラオケ装置３００−ｋを特に区別する必要がない場合には、単に通信カラオケ装置３００と呼ぶ。
【００１４】
ここで、図２は、通信カラオケ装置３００のハードウェア構成を示す図である。
コントローラ３１０は、ＣＰＵ、ＲＯＭ、ＲＡＭ等により構成され、ＲＯＭに格納されている各種制御プログラム等を実行することにより、通信カラオケ装置３００の各部を中枢的に制御する。
通信インタフェース３２０は、モデムやターミナルアダプタ等を備え、センタ局２００から公衆通信網２５０を介して配信されるカラオケファイルを受信する一方、公衆通信網２５０を介してセンタ局２００に各種データ等を送信する。
【００１５】
通信インタフェース３２０は、センタ局２００から配信されるカラオケファイルを受信すると、これをコントローラ３１０に供給する。コントローラ３１０は、該通信インタフェース３２０からカラオケファイルを受け取ると、このカラオケファイルをハードディスク３３０の所定領域に格納する（詳細は後述）。
【００１６】
ここで、図３は、ハードディスク３３０の記憶内容等を説明するための図である。
ハードディスク３３０は、センタ局２００から配信されるカラオケファイル等を記憶する手段であり、データベース台帳記憶領域３３１、配信ファイル記憶領域３３２、移行ファイル記憶領域３３３、プリセットファイル記憶領域３３４等を備えている。
【００１７】
なお、本実施形態では、センタ局２００から配信されるカラオケファイルとして、楽音を発生させるための演奏データや歌詞テロップを表示させるための歌詞データ、バックコーラスをＡＤＰＣＭ化したコーラスデータ、背景映像を表示させるための映像データ等を含むものを想定するが、いずれか一部（例えば、映像データ）のみを含むものであっても良い。
【００１８】
データベース台帳記憶領域３３１には、データベース台帳が格納されている。このデータベース台帳には、ハードディスク３３０に蓄積されている全カラオケファイルに関する情報が登録されており、具体的には各カラオケファイルを識別するためのファイル識別情報と各カラオケファイルの格納場所を示すディレクトリ情報とが対応付けられて登録されている。
【００１９】
配信ファイル記憶領域３３２には、センタ局２００から公衆通信網２５０を介して順次配信される多数のカラオケファイルが記憶される。
移行ファイル記憶領域３３３には、配信ファイル記憶領域３３２から移行されるカラオケファイル（以下、便宜上、移行ファイルという）が記憶される。移行ファイルとしては、例えば今後差し換えることがなさそうなカラオケファイルが挙げられる。かかる移行ファイルを選択する動作及び選択した移行ファイルを実際に移行する動作等は、コントローラ３１０によって実行されるが、詳細は後述することとし説明を続ける。
プリセットファイル記憶領域３３４には、工場出荷時等に設定される種々のファイルであって、今後一切書き換えが行われないファイル（種々の制御情報が記述されている制御ファイル等）が記憶される。
【００２０】
図２に戻り、リモコン装置３４０は、各種操作キー、赤外線通信機能等を備え、キー操作によって入力されるカラオケのリクエスト番号等に応じた信号を赤外線信号として送信する。
リモコン受信部３５０は、リモコン装置３４０から送信される赤外線信号をリクエスト番号などを表すデータに復元してコントローラ３１０に供給する。コントローラ３１０は、リモコン受信部３５０を介して受信したリクエスト番号に基づいてデータベース台帳を検索し、対応するカラオケファイルをハードディスク３３０から読み出す。そして、コントローラ３１０は、読み出したカラオケファイルに含まれる各種データを楽音発生部３６０や映像デコーダ３７０に供給する。
【００２１】
楽音発生部３６０は、コントローラ３１０から供給される演奏データに基づいて電子的な楽音信号を生成する音源や、コーラスデータの波形データをデコードして音声信号を復調するデコーダ等を備え、楽器の演奏音やバックコーラスなど（これらを総称してカラオケ演奏音という）を発生する。
オーディオ回路３６１は、上記カラオケ演奏音とマイク３６２から入力されるユーザ等の歌唱音信号とをミキシングし、図示せぬアンプ、スピーカ３６３を介して外部へ放音する。
【００２２】
映像デコーダ３７０は、コントローラ３１０から供給される歌詞データや映像データをデコードすることによって歌詞テロップなどの内部画像や背景画像を生成し、これを表示制御部３７１に供給する。
表示制御部３７１は、映像デコーダ３７０から供給される内部画像及び背景画像を合成し、これをモニタ３７２に表示する。
【００２３】
操作部３８０は、カラオケのリクエスト番号を入力したり音高や再生テンポなどを調整するためのパネルスイッチ３８１、パネルスイッチ３８１を操作することによって入力されるカラオケのリクエスト番号等を表示する操作表示パネル３８２等を備えている。
以上が本実施形態に係る通信カラオケ装置３００の詳細構成である。
【００２４】
（２）実施形態の動作
図４は、移行ファイルの選択動作及び選択した移行ファイルの移行動作を説明するための図である。なお、上記各動作は、本来センタ局２００と複数の通信カラオケ装置３００−ｋ（１≦ｋ≦ｎ）の間で行われるが、説明の理解を容易にするために、センタ局２００と通信カラオケ装置３００−１の間で行われる動作を例に説明する。
【００２５】
センタ局２００の制御部（図示略）は、最新のカラオケファイルを配信する毎に、当該時点までに配信した全カラオケファイルの総データ量を求め、求めた総データ量が予め設定された閾値を越えたかどうかを確認する。この閾値は、各通信カラオケ装置３００において全曲ファイルコピーを実行した場合に、全曲ファイルコピーにかかる時間が、基準時間（例えば、１時間）を越えるかどうかを判断するための閾値である。センタ局２００の制御部は、求めた総データ量が閾値を越えていない場合には、全曲ファイルコピーにかかる時間は基準時間内であると判断する（ステップＳ１；ＮＯ）。
【００２６】
一方、制御部は、求めた総データ量が閾値を越えている場合には、全曲ファイルコピーにかかる時間は基準時間を越えると判断する（ステップＳ１；ＹＥＳ）。なお、全曲ファイルコピーにかかる時間が基準時間を超えたかどうかを判断する方法は上記方法に限られず、例えばこれまでに配信した全カラオケファイルのファイル数を求め、求めたファイル数が予め設定された基準値を越えたかどうかを確認することによって判断しても良い。
【００２７】
さて、センタ局２００の制御部は、最新のカラオケファイルを配信している間に、全曲ファイルコピーにかかる時間が基準時間を超えると判断すると（ステップＳ１；ＹＥＳ）、当該時点までに通信カラオケ装置３００に配信した全カラオケファイルの中から、今後差し換えることがなさそうなカラオケファイルを移行ファイルとして選択する（ステップＳ２）。なお、移行ファイルについては、例えばカラオケ愛好者に広く親しまれているかどうか（人気投票で常に上位にランキングされているかどうか等）を基準に選択することができるが、どのような基準に基づいて選択するかは適宜変更可能である。
【００２８】
制御部は、かかる基準に基づいて移行ファイルを選択すると、選択した移行ファイルのファイル識別情報をデータベース（図示略）から取得し、移行ファイルリスト（指示情報）を作成する（ステップＳ３）。そして、制御部は、作成した移行ファイルリストとともに、移行ファイルリストに示されるカラオケファイルの移行タイミングを示した移行タイミング情報を、公衆通信網２５０を介して各通信カラオケ装置３００に送信する（ステップＳ４）。
【００２９】
なお、かかる移行タイミング情報として、例えば移行ファイルリストを受信してから所定時間（例えば、６時間）経過した後に移行ファイルを移行すべき旨の情報を設定したり、次回通信カラオケ装置３００に電源が投入されたときに移行ファイルを移行すべき旨の情報等を設定することができる。ただし、この移行タイミング情報の送信は、本発明において必須の要件ではなく、各通信カラオケ装置３００に予め移行ファイルの移行タイミングを設定している場合等においては、上記移行タイミング情報の送信は不要である。
【００３０】
一方、各通信カラオケ装置３００のコントローラ３１０は、センタ局２００から公衆通信網２５０等を介して移行ファイルリスト及び移行タイミング情報を受信すると、受信した旨の応答をセンタ局２００に返す（ステップＳ５→ステップＳ６）。ここで、通信カラオケ装置３００によっては、電源供給が遮断されているなどの理由により、移行ファイルリスト及び移行タイミング情報が受信されない場合もある。
【００３１】
かかる場合を想定し、センタ局２００の制御部は、移行ファイルリスト及び移行タイミング情報を配信した後、所定時間内に応答が返ってこない場合には、応答が返ってこない通信カラオケ装置３００宛に移行ファイルリスト及び移行タイミング情報を再送する。そして、それでもなお応答が返ってこない場合には、応答が返ってこない通信カラオケ装置３００が設置されているカラオケ店等にメンテナンス業者を派遣し、当該通信カラオケ装置３００に異常が発生していないかどうかを調査させれば良い。
【００３２】
さて、通信カラオケ装置３００のコントローラ３１０は、センタ局２００に上記応答を返すと、移行ファイルリストとともに受信した移行タイミング情報を参照して移行タイミングが到来したか否かを判断する（ステップＳ７）。コントローラ３１０は、移行タイミングが到来していないと判断すると（ステップＳ７；ＮＯ）、ステップＳ７の処理を繰り返し実行する。
【００３３】
一方、コントローラ３１０は、移行タイミングが到来したと判断すると（ステップＳ７；ＹＥＳ）、移行ファイルリストを参照し、ハードディスク３３０の配信ファイル記憶領域３３２に記憶されている多数のカラオケファイルの中から移行ファイルを特定する（ステップＳ８）。
【００３４】
そして、コントローラ３１０は、特定した移行ファイルを配信ファイル記憶領域３３２から読み出し、これを移行ファイル記憶領域３３３に転送（移行）する。コントローラ３１０は、かかる動作が終了すると、データベース台帳記憶領域３３１に格納されているデータベース台帳を更新するとともに、移行動作が完了した旨をセンタ局２００に通知する（ステップＳ９）。
【００３５】
以上説明した処理が終了すると、通信カラオケ装置３００のメンテナンス等を行うサービスセンタに設けられた保守端末の全曲ファイルコピー対象リストから移行ファイルリストに登録されているファイル識別情報等を削除する。詳述すると、保守端末には、当該時点までに通信カラオケ装置３００に配信された全てのカラオケファイルが格納されており、この保守端末が保持する全曲ファイルコピー対象リスト（上記削除を行う前の全曲ファイルコピー対象リスト）には、当該時点までに通信カラオケ装置３００に配信された全てのカラオケファイルを識別するファイル識別情報が登録されている。サービスセンタのメンテナンス業者は、例えば保守端末を適宜操作するなどして、該保守端末に保持されている全曲ファイルコピー対象リストから、移行ファイルリストに登録されているファイル識別情報を削除する。ここで、全曲ファイルコピー対象リストから移行ファイルリストに登録されているファイル識別情報を削除するのに加えて、移行ファイルリストに対応するファイルそのものを削除するようにしても良い。なお、全曲ファイルコピー対象リストから移行ファイルリストに登録されているファイル識別情報等を削除するといった処理をどのタイミングで実行するかは任意に設定可能である。
【００３６】
ここで、図５は、コントローラ３１０による移行ファイルの移行動作を説明するための図である。なお、図５に示す配信ファイル記憶領域３３２には、本来多数のカラオケファイルが記憶されているが、理解を容易にするため、以下では、配信ファイル記憶領域３３２に６つのカラオケファイル（カラオケファイルＡ〜カラオケファイルＦ）が記憶されている場合を想定して説明を行う。
【００３７】
通信カラオケ装置３００のコントローラ３１０は、まず、移行ファイルリストに登録されているファイル識別情報を参照することにより、移行ファイルを特定する。コントローラ３１０は、例えば図５（ａ）に示すカラオケファイルＣ、Ｄを移行ファイルとして特定すると、配信ファイル記憶領域３３２に記憶されている複数のカラオケファイルＡ〜Ｆの中からカラオケファイルＣ、Ｄを取得し、これを移行ファイル記憶領域３３３に移行する（図５（ｂ）参照）。この結果、配信ファイル記憶領域３３２には、カラオケファイルＡ、Ｂ、Ｅ、Ｆのみが記憶されることとなる。コントローラ３１０は、上記のようにして移行ファイルを移行ファイル記憶領域３３３に移行すると、データベース台帳を更新し、移行動作を終了する。
【００３８】
さて、カラオケファイルの移行作業が終了した後に通信カラオケ装置３００に何らかの異常が発生すると、該通信カラオケ装置３００は、修理のために上記サービスセンタに持ち込まれる。サービスセンタのメンテナンス業者は、修理のために持ち込まれた通信カラオケ装置３００と保守端末４００とをケーブル等によって接続する（図６参照）。
【００３９】
前述したように、保守端末４００に保持されている全曲ファイルコピー対象リストには、当該時点までに各通信カラオケ装置３００に配信された全てのカラオケファイルのうち、移行ファイルを除いたカラオケファイルに対応するファイル識別情報が登録されている。上述した場合を例に説明すると、保守端末４００の全曲ファイルコピー対象リストには、当該時点までに配信された全てのカラオケファイルＡ〜Ｆのうち、移行ファイルＣ、Ｄを除いたカラオケファイルＡ、Ｂ、Ｅ、Ｆに対応するファイル識別情報が格納されている。なお、これら全曲ファイルコピー対象リストに登録されている各ファイル識別情報に対応するカラオケファイルＡ、Ｂ、Ｅ、Ｆは、全曲ファイルコピーの対象となるため、以下の説明では、便宜上、コピー対象ファイルと呼ぶ。
【００４０】
その後、メンテナンス業者によってメンテナンス作業を開始すべき旨の操作がなされると、通信カラオケ装置３００のコントローラ３１０は、ハードディスク３３０の配信ファイル記憶領域３３２に格納されているカラオケファイルＡ、Ｂ、Ｅ、Ｆを消去する。消去作業が終了すると、コントローラ３１０は、保守端末４００から供給されるコピー対象ファイルＡ、Ｂ、Ｅ、Ｆを配信ファイル記憶領域３３２に格納することにより（図７参照）、配信ファイル記憶領域３３２の書き換えを行う。そして、コントローラ３１０は、配信ファイル記憶領域３３２の書き換え内容に基づいてデータベース台帳を更新し、全曲ファイルコピー動作を終了する。
【００４１】
このように、本実施形態によれば、これまでに通信カラオケ装置３００に配信された全てのカラオケファイルＡ〜Ｆを全曲ファイルコピーの対象とするのではなく、該カラオケファイルＡ〜Ｆのうち、移行ファイルＣ、Ｄを除いたカラオケファイルＡ、Ｂ、Ｅ、Ｆのみを全曲ファイルコピーの対象とする。前述したように、全曲ファイルコピーにかかる時間は、コピーすべきカラオケファイルの数等が増加するにつれ長くなるため、全曲ファイルコピーの対象となるカラオケファイルの数等を減らせば、その分だけ上記全曲ファイルコピーにかかる時間を短縮することができる。
【００４２】
（３）変形例
図８は、変形例に係る全曲ファイルコピー後のハードディスク３３０の記憶内容を説明するための図である。
上述した本実施形態では、これまでに通信カラオケ装置３００に配信された全てのカラオケファイルのうち、移行ファイルＣ、Ｄを除いたカラオケファイルＡ、Ｂ、Ｅ、Ｆを全曲ファイルコピーの対象とした（図７参照）。
これに対し、変形例では、移行ファイルの一部に対応するカラオケファイル（図８では、移行ファイルＣに対応するカラオケファイルＣ’）と、カラオケファイルＡ、Ｂ、Ｅ、Ｆとを全曲ファイルコピーの対象とする。
【００４３】
このように、移行ファイルＣに対応するカラオケファイルＣ’を全曲ファイルコピーの対象としたのは次の理由による。
すなわち、移行ファイルＣが旧バージョンのカラオケファイルであって、カラオケファイルＣ’がこの移行ファイルＣに対応する新バージョンのカラオケファイルである場合、いずれのバージョンのカラオケファイルも残しておきたい場合がある。かかる場合には、移行ファイルを除いたカラオケファイルＡ、Ｂ、Ｅ、Ｆと、移行ファイルの一部に対応するカラオケファイルＣ’とを全曲ファイルコピーの対象とすることで、旧バージョンのカラオケファイルＣを移行ファイル記憶領域３３３に残しつつ、新バージョンのカラオケファイルＣ’を配信ファイル記憶領域３３２に新たに記憶させることができる。
【００４４】
また、上述した本実施形態では、保守端末４００を利用して全曲ファイルコピーを行う態様を例示したが、例えばセンタ局２００を利用して全曲ファイルコピーを行う態様にも適用可能である。一例を挙げて説明すると、センタ局２００は、通信カラオケ装置３００との間でネゴシエーションを行い、通信可能かどうかを判断する。通信可能であると判断すると、センタ局２００は、データベース（図示略）等に格納されているコピー対象ファイル（本実施形態では、カラオケファイルＡ、Ｂ、Ｅ、Ｆ）を読み出し、公衆通信網２５０等を介して通信カラオケ装置３００に配信する。
【００４５】
なお、通信カラオケ装置３００にコピー対象ファイルが配信された後の動作については、上述した本実施形態とほぼ同様に説明することができるため、割愛する。このように、センタ局２００を利用して全曲ファイルコピーを行うようにしても良い。
【００４６】
【発明の効果】
以上説明したように、本発明によれば、全曲ファイルコピーに要する時間を短縮することができる。
【図面の簡単な説明】
【図１】本実施形態における通信カラオケシステムの構成を示す図である。
【図２】同実施形態に係る通信カラオケ装置のハードウェア構成を示す図である。
【図３】同実施形態に係るハードディスクの記憶内容を説明するための図である。
【図４】同実施形態に係る移行ファイルの選択動作及び選択した移行ファイルの移行動作を説明するための図である。
【図５】同実施形態に係る移行ファイルの移行動作を説明するための図である。
【図６】同実施形態に係る通信カラオケ装置と保守端末との接続例を示す図である。
【図７】同実施形態に係る全曲ファイルコピー後のハードディスクの記憶内容を説明するための図である。
【図８】変形例に係る全曲ファイルコピー後のハードディスクの記憶内容を説明するための図である。
【符号の説明】
１００・・・通信カラオケシステム、２００・・・センタ局、２５０・・・公衆通信網、３００・・・通信カラオケ装置、３１０・・・コントローラ、３２０・・・通信インタフェース、３３０・・・ハードディスク、３３１・・・データベース台帳記憶領域、３３２・・・配信ファイル記憶領域、３３３・・・移行ファイル記憶領域、３３４・・・プリセットファイル記憶領域、３６０・・・楽音発生部、３７０・・・映像デコーダ、３８０・・・操作部、４００・・・保守端末。
【図１】
2004102124.tif 000003
【図２】
2004102124.tif 000004
【図３】
2004102124.tif 000005
【図４】
2004102124.tif 000006
【図５】
2004102124.tif 000007
【図６】
2004102124.tif 000008
【図７】
2004102124.tif 000009
【図８】
2004102124.tif 000010